(57)【要約】【課題】垂直軸型の風車を備えた風力発電装置において、風向きにかかわらず、風車の正回転を妨げる風を遮って、該風車を正回転させる風のみを該風車に当てることができ、特別の電気的又は機械的始動補助装置を用いなくても、微風で風車が始動回転して発電効率が高く、騒音が小さく、危険範囲が狭くて狭い場所でも設置が可能で、しかも暴風にも耐え得るようにして実用的に優れた風力発電装置を提供する。【解決手段】垂直軸型の風車１４を備えた風力発電装置において、風車１４に被せることができるように筒状に形成され外周面の全周に複数の通風窓１１ａが形成された筒状体１１と、通風窓に夫々開閉可能に配設され通風窓の開口面積と同等の面積を有し風車を正回転させる風を通風窓に導き風車の正回転を妨げる風を遮る翼部材１２と、風速に応じて翼部材の開度を変化させ通風窓に導入する風４の量を調節可能とする開閉装置１３とを備えた構成を特徴とする。【選択図】    図１
2006105117.tif 000002
【特許請求の範囲】
【請求項１】
垂直軸型の風車の回転を発電機に伝えて発電を行う風力発電装置において、前記風車に被せることができるように筒状に形成され外周面に通風窓が形成された筒状体と、前記通風窓に配設され前記風車を正回転させる風を前記通風窓に導き前記風車の正回転を妨げる風を遮る翼部材とを備えたことを特徴とする風力発電装置。
【請求項２】
垂直軸型の風車の回転を発電機に伝えて発電を行う風力発電装置において、前記風車に被せることができるように筒状に形成され外周面の全周に複数の通風窓が形成された筒状体と、前記通風窓に夫々配設され前記風車を正回転させる風を前記通風窓に導き前記風車の正回転を妨げる風を遮る翼部材とを備え、前記翼部材だけでなく前記通風窓の間の桟をも利用して前記風車の正回転を妨げる風を遮るように構成したことを特徴とする風力発電装置。
【請求項３】
垂直軸型の風車の回転を発電機に伝えて発電を行う風力発電装置において、前記風車に被せることができるように筒状に形成され外周面の全周に複数の通風窓が形成された筒状体と、前記通風窓に夫々開閉可能に配設され前記通風窓の開口面積と同等の面積を有し前記風車を正回転させる風を前記通風窓に導き前記風車の正回転を妨げる風を遮る翼部材と、風速に応じて前記翼部材の開度を変化させ前記通風窓に導入する風の量を調節可能とする開閉装置とを備えたことを特徴とする風力発電装置。
【請求項４】
前記開閉装置は、前記翼部材に取り付けられた弾性体が風速に応じて変形して前記翼部材の開度が変化するように構成されていることを特徴とする請求項３に記載の風力発電装置。
【請求項５】
前記開閉装置は、風速に応じて作動するモータと、該モータの軸に取り付けられたプーリと前記翼部材の支持軸に取り付けられたすべてのプーリとに巻き掛けられた無端の巻掛け伝動部材とを備え、すべての前記翼部材を同期して開閉可能に構成されたものであることを特徴とする請求項３に記載の風力発電装置。
【発明の詳細な説明】
【技術分野】
【０００１】  本発明は、垂直軸型の風車を用いた風力発電装置に係り、特に風車のまわりに複数の翼部材を有する筒状体を配設することによって、風向きにかかわらず、風車の正回転を妨げる風を翼部材で遮って、該風車を正回転させる風のみを該風車に当てて風車を常に一方向に正回転させることができ、水平軸型のむき出しの風車では回らないような弱い風でも風車が始動回転して発電が行われるようにし、発電効率が高く、しかも風車がむき出しでないことにより安全性が高く、設置場所が小さくて済み、騒音が小さく、また暴風等の強風にも十分対応可能で、極めて実用的かつ高性能の風力発電装置に関する。
【背景技術】
【０００２】  風力発電装置に使用される風車の代表的なものとして、図１８及び図１９に示すような、水平軸２回りに回転するプロペラ形の水平軸型の風車１がある。大型の風車ではブレード直径が６０ｍを超えるものがあるが、小型の風車１では例えばブレード直径は１ｍ程度である。【０００３】  小型の風車１は、ポール３の上端に回動自在に取り付けられ、尾翼６により風４の方向に対して常にプロペラ５が真正面を向くように矢印Ａ又は矢印Ｂ方向に回動するようになっている。これによりプロペラ５は、刻々と風向きが変化する風を受けながら矢印Ｃ方向に回転し、該プロペラに連結された発電機（図示せず）が発電を行うようになっている。【０００４】  しかしプロペラ形の風車１は、プロペラ５の風切り音が騒音となる場合があり、また図１９に示すように、風向きに応じて３６０°の範囲で風車１全体が回動するため、プロペラ５の回転範囲８及び尾翼６の回転範囲９を安全に確保する必要があり、従ってかなり広い設置場所を必要とし、風車１の取付け場所を慎重に選択する必要があった。
またこの種の風車１が、極く微風でも始動回転するためには、風車の停止時に発電機をモータとして一時的に利用して、わずかな電力を与えて初期トルクを風車に与える等の工夫がなされており、かなり技術的に難しいものであった。【０００５】  一方、垂直軸型の風車の場合には、音が静かである上に、どの方向の風でもそのまま受けることができるので、取付け場所の自由度が高いという利点がある。【０００６】  ただ垂直軸型の風車の場合には、正回転の方向（発電が行われる方向）に風車を回転させる風と風車の回転を妨げる風を同時に受けるので、風が弱いと風車が回り出さないと共に、常に風車を逆回転させるトルクも作用し、発電効率が低いという問題があった。
また暴風等の際には、風車が異常な高速回転をして破損したり、発電機を破損させたりするおそれがあり、多くの改良すべき余地があった。【０００７】  なお、本願出願人及び発明者は、本願発明に関連する公知特許文献及び公知非特許文献を知らないので、その記載を省略する。
【発明の開示】
【発明が解決しようとする課題】
【０００８】  本発明は、上記した従来技術の欠点を除くためになされたものであって、その目的とするところは、垂直軸型の風車の回転を発電機に伝えて発電を行う風力発電装置において、風車に被せることができるように筒状に形成され外周面に通風窓が形成された筒状体と、通風窓に配設され風車を正回転させる風を通風窓に導き風車の正回転を妨げる風を遮る翼部材とを備えることによって、風の力を効率的に風車に伝えることができるようにすることであり、またこれによって格別の電気的な操作による初期トルクを与えることなく、弱い風でも風車が始動回転するようにして、風力発電の効率を向上させることである。【０００９】  また他の目的は、上記構成において、外周面の全周に複数の通風窓を形成し、翼部材だけでなく通風窓の間の桟をも利用して風車の正回転を妨げる風を遮るように構成することによって、翼部材ではカバーできない領域に吹く風を遮り、風車がより弱い風でも正回転するように風を集中的に導くことができるようにすることである。【００１０】  更に他の目的は、上記構成において、翼部材を開閉可能に配設し、風速に応じて翼部材の開度を変化させ通風窓に導入する風の量を調節可能とする開閉装置を備えることによって、暴風時のように風が特に強いときに風車の回転速度を制限し、又は風車を停止させ、風車及び発電機の破損を防止し、風力発電装置の耐風強度の向上を図ることである。【００１１】  また他の目的は、上記構成において、翼部材に取り付けられた弾性体が風速に応じて変形して翼部材の開度が自動的に変化するように開閉装置を構成することによって、暴風時に風速が非常に高くなった場合に風の強さに応じて翼部材の開度を小さくして風車に当る風を抑え、風速が平常に戻ると自動的に元の開度に復帰するようにし、風車の回転速度の抑制及び風車の停止を弾性体の弾性力を利用して自動的に行うことができるようにし、安価な機構で強風に対する安全性の高い風力発電装置を得ることである。【００１２】  更に他の目的は、上記構成において、開閉装置が、風速に応じて作動するモータと、該モータの軸に取り付けられたプーリと翼部材の支持軸に取り付けられたすべてのプーリとに巻き掛けられた無端の巻掛け伝動部材とを備え、すべての翼部材を同期して開閉可能に構成することによって、翼部材の開度を風速に応じて自在に制御できるようにして、ある程度の強風下でも風力発電を継続できるようにすると共に、必要に応じて風車を停止させて風力発電装置を保護することもできるようにすることであり、またこれによって風の強弱に左右されずに風力発電を定常的に行うことができるようにすることである。
【課題を解決するための手段】
【００１３】  要するに本発明（請求項１）は、垂直軸型の風車の回転を発電機に伝えて発電を行う風力発電装置において、前記風車に被せることができるように筒状に形成され外周面に通風窓が形成された筒状体と、前記通風窓に配設され前記風車を正回転させる風を前記通風窓に導き前記風車の正回転を妨げる風を遮る翼部材とを備えたことを特徴とするものである。【００１４】  また本発明（請求項２）は、垂直軸型の風車の回転を発電機に伝えて発電を行う風力発電装置において、前記風車に被せることができるように筒状に形成され外周面の全周に複数の通風窓が形成された筒状体と、前記通風窓に夫々配設され前記風車を正回転させる風を前記通風窓に導き前記風車の正回転を妨げる風を遮る翼部材とを備え、前記翼部材だけでなく前記通風窓の間の桟をも利用して前記風車の正回転を妨げる風を遮るように構成したことを特徴とするものである。【００１５】  また本発明（請求項３）は、垂直軸型の風車の回転を発電機に伝えて発電を行う風力発電装置において、前記風車に被せることができるように筒状に形成され外周面の全周に複数の通風窓が形成された筒状体と、前記通風窓に夫々開閉可能に配設され前記通風窓の開口面積と同等の面積を有し前記風車を正回転させる風を前記通風窓に導き前記風車の正回転を妨げる風を遮る翼部材と、風速に応じて前記翼部材の開度を変化させ前記通風窓に導入する風の量を調節可能とする開閉装置とを備えたことを特徴とするものである。【００１６】  また本発明（請求項４）は、前記開閉装置が、前記翼部材に取り付けられた弾性体が風速に応じて変形して前記翼部材の開度が変化するように構成されていることを特徴とするものである。【００１７】  また本発明（請求項５）は、前記開閉装置が、風速に応じて作動するモータと、該モータの軸に取り付けられたプーリと前記翼部材の支持軸に取り付けられたすべてのプーリとに巻き掛けられた無端の巻掛け伝動部材とを備え、すべての前記翼部材を同期して開閉可能に構成されたものであることを特徴とするものである。
【発明の効果】
【００１８】  本発明は、上記のように垂直軸型の風車の回転を発電機に伝えて発電を行う風力発電装置において、風車に被せることができるように筒状に形成され外周面に通風窓が形成された筒状体と、通風窓に配設され風車を正回転させる風を通風窓に導き風車の正回転を妨げる風を遮る翼部材とを備えたので、風の力を効率的に風車に伝えることができる効果があり、またこの結果格別の電気的な操作による初期トルクを与えることなく、弱い風でも風車が始動回転するという効果があり、風力発電の効率を向上させることができる効果が得られる。【００１９】  また上記構成において、外周面の全周に複数の通風窓を形成し、翼部材だけでなく通風窓の間の桟をも利用して風車の正回転を妨げる風を遮るように構成したので、風車がより弱い風でも正回転するように風を集中的に導くことができる効果がある。【００２０】  更に上記構成において、翼部材を開閉可能に配設し、風速に応じて翼部材の開度を変化させ通風窓に導入する風の量を調節可能とする開閉装置を備えたので、暴風時のように風が特に強いときに風車の回転速度を制限し、又は風車を停止させ、風車及び発電機の破損を防止することができる効果があり、またこの結果風力発電装置の耐風強度の向上を図ることができる効果がある。【００２１】  また上記構成において、翼部材に取り付けられた弾性体が風速に応じて変形して翼部材の開度が自動的に変化するように開閉装置を構成したので、暴風時に風速が非常に高くなった場合に風の強さに応じて翼部材の開度を小さくして風車に当る風を抑え、風速が平常に戻ると自動的に元の開度に復帰するようにし、風車の回転速度の抑制及び風車の停止を弾性体の弾性力を利用して自動的に行うことができるため、安価な機構で強風に対する安全性の高い風力発電装置を得ることができる効果がある。【００２２】  更には、上記構成において、開閉装置が、風速に応じて作動するモータと、該モータの軸に取り付けられたプーリと翼部材の支持軸に取り付けられたすべてのプーリとに巻き掛けられた無端の巻掛け伝動部材とを備え、すべての翼部材を同期して開閉可能に構成したので、翼部材の開度を風速に応じて自在に制御でき、ある程度の強風下でも風力発電を継続できると共に、必要に応じて風車を停止させて風力発電装置を保護することもできる効果があり、またこの結果風の強弱に左右されずに風力発電を定常的に行うことができるという効果が得られる。
【発明を実施するための最良の形態】
【００２３】  以下本発明を図面に示す実施例に基いて説明する。本発明の第１実施例に係る風力発電装置１０は、図１から図５において、筒状体１１と、翼部材１２と、開閉装置１３と、垂直軸型の風車１４と、発電機２２とを備えている。【００２４】  筒状体１１は、図１から図４に示すように、垂直軸型の風車１４に被せることができるように筒状に形成され、外周面の全周に複数の通風窓１１ａが形成されたものであって、例えば円筒形に形成され、上端は蓋１５により塞がれ、下端は基台１６に固定されている。【００２５】  通風窓１１ａは、例えば四角形に形成され、例えば均等に８箇所形成されている。各々の通風窓１１ａはなるべく大きく開口していることが望ましい。風を多く取り込むことができるからである。【００２６】  通風窓１１ａは、複数形成されているので、隣り合う通風窓１１ａの間には、逆風遮蔽用の桟１１ｂが存在する。【００２７】  筒状体１１の蓋１５の中央は、図４に示すように、風車１４の軸１４ａが上に貫通しており、該軸１４ａを支持する軸受１８が軸受押え１９により取り付けられている。軸受１８及び軸受押え１９は、カバー２０により覆われ、雨や粉麈が入り込まないようにシールされ、基台１６に固定されている。【００２８】  筒状体１１の底部１１ｃは、基台１６に接しており、該底部１１ｃ及び基台１６の中央を風車１４の軸１４ａが下に貫通し、軸受１８により支持されている。軸受１８は、軸受押え１９により基台１６に固定されている。【００２９】  軸１４ａの同軸下方には、ブラケット２１を用いて発電機２２が取り付けられており、該発電機２２の軸２２ａと軸１４ａとは、カップリング２３を介して連結されている。発電機２２は、例えば円錐台形に形成された基台１６の内部に収まるように取り付けられている。【００３０】  風車１４は、本実施例では、例えば円筒形の胴体１４ｂの外周面に断面円形の翼１４ｃを均等に配列して取り付けたものとなっている。風車１４の形式はこれに限るものではなく、垂直軸型のものであればよく、パドル形風車、サポニウス形風車、Ｓ形風車、ジャイロミル形風車又はダリウス形風車等でもよく、またシロッコファンを使用してもよい（いずれも図示せず）。【００３１】  翼部材１２は、通風窓１１ａに夫々開閉可能に配設され、該通風窓１１ａの開口面積と同等の面積を有し、風車１４を正回転させる風を通風窓１１ａに導き、風車１４の正回転を妨げる風を遮るものであって、例えば通風窓１１ａの左端に所定の角度範囲内（例えば最大開度が６０°）で開閉可能に取り付けられている。【００３２】  各々の翼部材１２は、支持軸２４に夫々固定されており、該支持軸２４は、例えば通風窓１１ａの左端に設けられた軸受部１１ｄに回動自在に軸支されている。支持軸２４の下部は、夫々基台１６を貫通しており、該基台内となる下端に歯付きプーリ２５が夫々取り付けられている。【００３３】  開閉装置１３は、図４及び図５に示すように、風速に応じて翼部材１２の開度を変化させ、通風窓１１ａに導入する風４の量を調節可能とするものであって、例えばモータ２６と、巻掛け伝動部材の一例たる歯付きベルト２８とを備え、すべての翼部材１２を同期して開閉可能に構成されている。【００３４】  モータ２６は、風速や発電機２２により発生する発電電圧に応じて作動するように構成された、例えばパルスモータであって、図１７において、制御部２７によって回転角度及び回転方向が制御されるようになっており、基台１６にブラケット２９を介して取り付けられている。モータ２６の軸（図示せず）には、歯付きプーリ３０が取り付けられている。【００３５】  歯付きベルト２８は、モータ２６の軸に取り付けられたプーリの一例たる歯付きプーリ３０と翼部材１２の支持軸２４に取り付けられたすべてのプーリの一例たる歯付きプーリ２５とに巻き掛けられた無端のベルトである。【００３６】  隣り合う歯付きプーリ２５の間及び歯付きプーリ２５と歯付きプーリ３０との間には、夫々テンションローラ３１が配設され、歯付きプーリ２５，３０と歯付きベルト２８とを有効に噛み合わせると共に、該歯付きベルト２８に一定の張力を与えるようになっている。張力の調整は、各テンションローラ３１が取り付けられた支持部材３２をスライドさせることにより行うようになっている。【００３７】  次に本発明の第２実施例に係る風力発電装置４２は、図１２及び図１３において、筒状体１１と、翼部材１２と、垂直軸型の風車１４と、発電機（図示省略、なお図３の符号２２参照）と、開閉装置４３とを備えている。【００３８】  開閉装置４３は、翼部材１２に取り付けられた弾性体の一例たるねじりばね４４が風速に応じて変形して翼部材１２の開度が変化するように構成されている。【００３９】  ねじりばね４４は、翼部材１２の支持軸４５の同軸上に、軸受部１１ｄと座金４６の間に挟まれるようにして、例えば２個ずつ取り付けられており、一端４４ａが筒状体１１に固定され、他端４４ｂが翼部材１２に掛かっており、翼部材１２を開く方向に付勢している。座金４６はナット４８により支持軸４５の上下端に固定されている。【００４０】  翼部材１２の最大開度は、例えば６０°であるが、該最大開度は、例えば図示しないストッパを翼部材１２に形成するか、又は別途ストッパを設けることにより制限している。【００４１】  他の部分は、本発明の第１実施例と同一であるので、同一の部分には図面に同一の符号を付し、説明を省略する。【００４２】  なお、風力発電装置１０，４２を、図１、図２及び図１６に示すように、ポール３３の上端に取り付ける場合、該ボール３３の上端にアタッチメント３４を取り付けて、該アタッチメント３４の上に基台１６を固定するようにすればよく、また図１７に示すように、家屋３５の屋根３６に取り付ける場合には、例えば該屋根３６に架台３８を取り付け、該架台３８に基台１６を固定するようにすればよい。【００４３】  本発明は、上記のように構成されており、以下その作用について説明する。まず本発明の第１実施例に係る風力発電装置１０の作用について説明すると、図６において、翼部材１２が開いている状態で、例えば風４が北から矢印Ｎ方向に吹くと、筒状体１１に当った風４のうち、図面上におけるおよそ右半分の風は、翼部材１２及び桟１１ｂに導かれて北側及び北東側に位置する通風窓１１ａから矢印Ｉ方向に筒状体１１の中に入る。隣り合う２つの翼部材１２に挟まれた領域は、通風窓１１ａに近づくに従って次��に狭くなるので、風４の風速を増加させる作用がある。【００４４】  加速された風４は、風車１４の翼１４ｃを押すので、該風車１４が正回転方向、即ち矢印Ｇ方向に勢いよく回転し、発電機２２による発電が行われる。風車１４を回転させた風４は、南側付近に位置する通風窓１１ａからその周囲の負圧により吸い出されるようにして、筒状体１１の外へ矢印Ｏ方向に出て行く。【００４５】  一方筒状体１１に当った風４のうち、図面上におけるおよそ左半分の風４は、右半分４の風４とは逆に、翼部材１２及び桟１１ｂにより遮られて通風窓１１ａから筒状体１１の中へはほとんど入らないで、図中左方向（西方向）に逃げて行く。【００４６】  即ち、図７に示すように、筒状体１１のおよそ左半分は、風車１４の正回転を妨げる風４が吹かない大きな領域５０となる。筒状体１１のおよそ右半分のうち、北側と北東側の通風窓１１ａの付近は、風車１４を正回転させる風４が加速された状態で吹く領域５１となる。【００４７】  風力発電装置１０は、風向きを問わず使用できる垂直軸型の風車の特徴をそのまま生かすことができ、図８において、例えば風４が西から矢印Ｗ方向に吹いている場合には、図面上におけるおよそ上半分の風４は翼部材１２及び桟１１ｂに導かれて西側及び北西側に位置する通風窓１１ａから矢印Ｉ方向に筒状体１１の中に入って風車１４を矢印Ｇ方向に勢いよく回転させる。図面上におけるおよそ下半分の風４は、翼部材１２及び桟１１ｂに遮られて筒状体１１の中に入ることができないので、風車１４を逆回転させるトルクはほとんど発生しない。【００４８】  また図９において、例えば風４が南から矢印Ｓ方向に吹いている場合には、図面上におけるおよそ左半分の風４は翼部材１２及び桟１１ｂに導かれて南側及び南西側に位置する通風窓１１ａから矢印Ｉ方向に筒状体１１の中に入って風車１４を矢印Ｇ方向に勢いよく回転させる。図面上におけるおよそ右半分の風４は、翼部材１２及び桟１１ｂに遮られて筒状体１１の中に入ることができないので、風車１４を逆回転させるトルクはほとんど発生しない。【００４９】  そして図１０において、例えば風４が東から矢印Ｅ方向に吹いている場合には、図面上におけるおよそ下半分の風４は翼部材１２及び桟１１ｂに導かれて東側及び南東側に位置する通風窓１１ａから矢印Ｉ方向に筒状体１１の中に入って風車１４を矢印Ｇ方向に勢いよく回転させる。図面上におけるおよそ上半分の風４は、翼部材１２及び桟１１ｂに遮られて筒状体１１の中に入ることができないので、風車１４を逆回転させるトルクはほとんど発生しない。【００５０】  台風等の暴風時において、ある一定の風速を超え、例えば発電機２２からの出力電圧が一定の値を超えた場合には、図１４及び図１５に示すように、該電圧を制御部２７がこれを検知して開閉装置１３のモータ２６を作動させる。【００５１】  翼部材１２の開度は、通常例えば６０°で最も開いた状態であるが、風速が一定値を超えると、次第に開度が小さくなり、やがて０°となるように制御される。なお、この線図は一例を示したに過ぎず、どのように翼部材１２の開度を制御するかは任意である。【００５２】  具体的には、モータ２６が矢印Ｆ方向に所定角度回転すると、歯付き���ーリ３０が歯付きベルト２８を矢印Ｊ方向に駆動する。すると翼部材１２の支持軸２４に取り付けられた歯付きプーリ２５がすべて同期して矢印Ｋ方向に回動し、これに伴って翼部材１２が矢印Ｋ方向に回動する。モータ２６の回転角度に応じて翼部材１２の開度が少なくなり、やがて開度は０°となる。【００５３】  逆にモータ２６が矢印Ｈ方向に回転すると、歯付きプーリ３０が歯付きベルト２８を矢印Ｌ方向に駆動する。すると翼部材１２の支持軸２４に取り付けられた歯付きプーリ２５がすべて同期して矢印Ｍ方向に回動し、これに伴って翼部材１２が矢印Ｍ方向に回動する。モータ２６の回転角度に応じて翼部材１２の開度が大きくなり、最大で開度は６０°となる。【００５４】  むき出しの風車の場合には、風車の回転速度が上がりすぎて発電機等が壊れることが懸念されるが、本発明に係る風力発電装置１０の場合には、強風下においても、翼部材１２の開度を自動的に調節して、風車１４の回転速度を適正に抑えることができ、せっかくの風を無駄にすることなく、継続的に風力発電を行うことができる。なお、必要に応じて風車１４を停止させることも可能である。【００５５】  本発明の第２実施例に係る風力発電装置４２の場合には、図１２及び図１３に示すように、風速が大きくなった場合に、その風圧によって正面から風を受けている翼部材１２がねじりばね４４に抗して自動的に回動し、通風窓１１ａを狭める。【００５６】  これによって筒状体１１内に入る風が少なくなるので、強風下においても風車１４の回転速度を抑制して発電を継続することができる。風向きが変化したり、風が弱まった場合には、翼部材１２はねじりばね４４の弾性力により開く方向へ自動的に回動する。通常は最大開度の状態に直ちに復帰する。【００５７】  平常時の筒状体１１への風の導入及び遮断についての作用は、本発明の第１実施例と同様である。【００５８】  上記した第１実施例に係る風力発電装置１０と第２実施例に係る風力発電装置４２は、上記のように、風を巧みに捕らえているため、非常に回転効率が高いので、極く微風で風車４が始動回転できる特長があり、また図１６及び図１７に示すように、いずれもポール３３の上に設置して使用することもできるし、非常に狭い設置場所でも使用可能であり、周囲に対する危険や騒音の問題も従来例に比べて非常に少ない。
また家屋３５の屋根３６に設置して使用することも可能である。出力の向上を図るためには、例えば垂直方向や水平方向に複数台並べて設置することも可能である。
【図面の簡単な説明】
【００５９】
【図１】図１から図１１及び図１５は、本発明の第１実施例に係り、図１は風力発電装置の斜視図である。
【図２】風力発電装置の正面図である。
【図３】筒状体及び翼部材の斜視図である。
【図４】風力発電装置の縦断面図である。
【図５】風力発電装置の底面図である。
【図６】風力発電装置において、北（図中上方、以下同じ）から風が吹いている場合に、風車を正回転させる風のみを通風窓から風車に向けて導入し、風車の正回転を妨げる風を遮っている状態を示す平面図である。
【図７】風力発電装置において、北から風が吹いている場合に、風車を正回転させる風のみを通風窓から風車に向けて導入し、風車の正回転を妨げる風を遮ることで、風車を正回転させる風の領域と、風車を逆回転させる風が存在しない領域が筒状体内にできることを示す平面図である。
【図８】西から風が吹いている場合の風の流れ及び風車の回転状態を示す平面図である。
【図９】南から風が吹いている場合の風の流れ及び風車の回転状態を示す平面図である。
【図１０】東から風が吹いている場合の風の流れ及び風車の回転状態を示す平面図である。
【図１１】開閉装置によりすべての翼部材が同期して開閉する状態を示す平面図である。
【図１２】図１２及び図１３は、本発明の第２実施例に係り、図１２は風力発電装置の平面図である。
【図１３】翼部材の取付け状態を示す部分拡大縦断面図である。
【図１４】図１４、図１６及び図１７は、本発明の実施例（第１及び第２実施例を含む）に係り、図１４は風速と翼部材の開度との関係を示す線図である。
【図１５】発電機の出力電圧により制御部が開閉装置のモータを作動させることを示すブロック図である。
【図１６】ポールに取り付けられた風力発電装置の斜視図である。
【図１７】家屋の屋根に取り付けられた風力発電装置の斜視図である。
【図１８】図１８及び図１９は、従来例に係り、図１８はむき出しの水平軸型風車を備えた風力発電装置の側面図である。
【図１９】風向きによって風力発電装置全体が風車ごと大きく旋回し、危険範囲が広く、広い設置場所を必要とする状態を示す風力発電装置の平面図である。
【符号の説明】
【００６０】  ４    風
１０    風力発電装置
１１    筒状体
１１ａ  通風窓
１１ｂ  桟
１２    翼部材
１３    開閉装置
１４    風車
２２    発電機
２６    モータ
２８    巻掛け伝動部材の一例たる歯付きベルト
３０    プーリの一例たる歯付きプーリ
４２    風力発電装置
４３    開閉装置
４４    弾性体の一例たるねじりばね
【図１】
2006105117.tif 000003
【図２】
2006105117.tif 000004
【図３】
2006105117.tif 000005
【図４】
2006105117.tif 000006
【図５】
2006105117.tif 000007
【図６】
2006105117.tif 000008
【図７】
2006105117.tif 000009
【図８】
2006105117.tif 000010
【図９】
2006105117.tif 000011
【図１０】
2006105117.tif 000012
【図１１】
2006105117.tif 000013
【図１２】
2006105117.tif 000014
【図１３】
2006105117.tif 000015
【図１４】
2006105117.tif 000016
【図１５】
2006105117.tif 000017
【図１６】
2006105117.tif 000018
【図１７】
2006105117.tif 000019
【図１８】
2006105117.tif 000020
【図１９】
2006105117.tif 000021